【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
アクセスポイントにおいて、局から直接に要求メッセージを受信し、１つまたは複数のリレーノードから１つまたは複数の要求メッセージを受信することと、ここにおいて、前記局からの前記要求メッセージは、プローブ要求メッセージまたは前記アクセスポイントに接続するためのアソシエーション要求メッセージを備え、前記１つまたは複数のリレーノードからの前記１つまたは複数の要求メッセージのそれぞれは、前記局に関係するプローブ要求メッセージまたはアソシエーション要求メッセージを備える、
前記局からの前記要求メッセージおよび前記１つまたは複数のリレーノードからの前記１つまたは複数の要求メッセージに基づいて、前記アクセスポイントと前記局との間の通信パスを選択することと、
前記選択された通信パスを示す応答メッセージを送ることと
を備える、方法。
【請求項２】
前記選択された通信パスは、少なくとも１つのリレーノードを含み、前記応答メッセージは、前記少なくとも１つのリレーノードに送られ、あるいは、前記選択された通信パスは、リレーノードを含まず、前記応答メッセージは、前記局に直接送られる、請求項１に記載の方法。
【請求項３】
前記選択された通信パスは、前記１つまたは複数の要求メッセージに対応する１つまたは複数のデータレートに基づいて選択される、請求項１に記載の方法。
【請求項４】
前記１つまたは複数のデータレートは、前記１つまたは複数のリレーノードのそれぞれと前記局との間のデータレートを含む、請求項３に記載の方法。
【請求項５】
前記選択された通信パスは、前記アクセスポイントと前記局との間にスループットの増加をもたらす前記１つまたは複数のリレーノードのうちの少なくとも１つのリレーノードに基づいて選択される、請求項３に記載の方法。
【請求項６】
前記選択された通信パスは、見込み通信パスのセットから選択され、前記１つまたは複数のリレーノードのそれぞれのリレーノードは、見込み通信パスの前記セットのうちの１つの見込み通信パスに対応し、前記選択された通信パスは、見込み通信パスの前記セットのうちの他の通信パスよりも少ない、データの送信のための前記局のエネルギーを利用する、請求項３に記載の方法。
【請求項７】
特定の通信パスに関連付けられた前記局のエネルギー消費は、前記特定の通信パスの特定のリレーノードまでの前記局の送信電力と、前記特定のリレーノードまでの送信データレートの逆数との積として推定される、請求項６に記載の方法。
【請求項８】
前記選択された通信パスは、見込み通信パスのセットから選択され、前記１つまたは複数のリレーノードのそれぞれのリレーノードは、見込み通信パスの前記セットのうちの１つの見込み通信パスに対応し、前記選択された通信パスは、見込み通信パスの前記セットのうちの他の通信パスよりも少ない、前記局と前記アクセスポイントとの間の送信時間を利用する、請求項３に記載の方法。
【請求項９】
前記通信パスを選択することは、
前記局と前記アクセスポイントとの間の見込み通信パスのセットにおけるそれぞれの見込み通信パスについてのデータレートの逆数の総計を計算することを含み、ここにおいて、間接的な見込み通信パスについてのデータレートの逆数の前記総計は、前記間接的な見込み通信パスのそれぞれのホップについてのデータレートの逆数の合計に等しく、
前記選択された通信パスは、見込み通信パスの前記セットのうちの、データの逆数の総計の最も低いものを有する特定の見込み通信パスである、
請求項３に記載の方法。
【請求項１０】
前記通信パスを選択することは、
前記局から、前記局と前記アクセスポイントとの間の見込み通信パスのセットにおけるそれぞれの見込み通信パスの各リレーノードまでのホップについての、データレートを計算することを含み、
ここにおいて、前記選択された通信パスは、見込み通信パスの前記セットのうちの、計算された最も高いデータレートを有する特定の見込み通信パスである、
請求項３に記載の方法。
【請求項１１】
前記１つまたは複数のデータレートは、前記１つまたは複数の要求メッセージのペイロードデータレートに対応する、および／または、前記１つまたは複数のデータレートは、前記１つまたは複数の要求メッセージの媒体アクセス制御、ＭＡＣ、レイヤのスループットに対応する、請求項３に記載の方法。
【請求項１２】
前記局からの前記要求メッセージは、マルチキャスト要求メッセージを備え、ここにおいて、前記マルチキャスト要求メッセージは、前記１つまたは複数のリレーノードおよび前記アクセスポイントに関連付けられたマルチキャストアドレスにアドレッシングされ、前記選択された通信パスは、前記マルチキャスト要求メッセージに少なくとも部分的に基づいて選択される、請求項１に記載の方法。
【請求項１３】
前記局から直接受信された前記要求メッセージは前記局のリレー機能情報を含み、前記選択された通信パスは、前記局からの前記要求メッセージおよび前記１つまたは複数のリレーノードからの前記１つまたは複数の要求メッセージに基づいて選択される、請求項１に記載の方法。
【請求項１４】
アクセスポイントにおいて、局から直接に要求メッセージを受信し、１つまたは複数のリレーノードから１つまたは複数の要求メッセージを受信するための手段と、ここにおいて、前記局からの前記要求メッセージは、プローブ要求メッセージまたは前記アクセスポイントに接続するためのアソシエーション要求メッセージを備え、前記１つまたは複数のリレーノードからの前記１つまたは複数の要求メッセージのそれぞれは、前記局に関係するプローブ要求メッセージまたはアソシエーション要求メッセージを備える、
前記局からの前記要求メッセージおよび前記１つまたは複数のリレーノードからの前記１つまたは複数の要求メッセージに基づいて、前記アクセスポイントと前記局との間の通信パスを選択するための手段と、
前記選択された通信パスを示す応答メッセージを送信するための手段と
を備える、装置。
【請求項１５】
請求項１〜請求項１３のいずれか一項に記載の方法をコンピュータに実行させる命令を記憶したコンピュータ可読媒体を備えるコンピュータプログラム製品。
【手続補正２】
【補正対象書類名】明細書
【補正対象項目名】００７４
【補正方法】変更
【補正の内容】
【００７４】
開示された実施形態の先の説明は、当業者が開示された実施形態を製造または使用することを可能にするために提供される。これらの実施形態に対する様々な修正は、当業者にとって容易に明らかであり、ここに定義された原理は、本開示の範囲から逸脱せずに他の実施形態に応用されうる。したがって、本開示は、ここに開示された実施形態に限定されることを意図したものではなく、特許請求の範囲によって定義される原理および新規な特徴と矛盾しない最も広い範囲を与えられるべきである。
以下に、出願当初の特許請求の範囲に記載された発明を付記する。
［Ｃ１］
アクセスポイントにおいて、１つまたは複数のリレーノードから１つまたは複数の要求メッセージを受信することと、ここにおいて、前記１つまたは複数の要求メッセージのそれぞれは、局に関係するプローブ要求メッセージまたはアソシエーション要求メッセージであり、
前記１つまたは複数の要求メッセージに基づいて、前記アクセスポイントと前記局との間の通信パスを選択することと、
前記選択された通信パスを示す応答メッセージを送ることと
を備える、方法。
［Ｃ２］
前記選択された通信パスは、少なくとも１つのリレーノードを含み、前記応答メッセージは、前記少なくとも１つのリレーノードに送られる、上記Ｃ１に記載の方法。
［Ｃ３］
前記選択された通信パスはリレーノードを含まず、前記応答メッセージは前記局に直接送られる、上記Ｃ１に記載の方法。
［Ｃ４］
前記選択された通信パスは、前記１つまたは複数の要求メッセージに対応する１つまたは複数のデータレートに基づいて選択される、上記Ｃ１に記載の方法。
［Ｃ５］
前記１つまたは複数のデータレートは、前記１つまたは複数のリレーノードのそれぞれと前記局との間のデータレートを含む、上記Ｃ４に記載の方法。
［Ｃ６］
前記選択された通信パスは、前記アクセスポイントと前記局との間にスループットの増加をもたらす前記１つまたは複数のリレーノードのうちの少なくとも１つのリレーノードに基づいて選択される、上記Ｃ４に記載の方法。
［Ｃ７］
前記選択された通信パスは、見込み通信パスのセットから選択され、前記１つまたは複数のリレーノードのそれぞれのリレーノードは、見込み通信パスの前記セットのうちの１つの見込み通信パスに対応し、前記選択された通信パスは、見込み通信パスの前記セットのうちの他の通信パスよりも少ない、データの送信のための前記局のエネルギーを利用する、上記Ｃ４に記載の方法。
［Ｃ８］
特定の通信パスに関連付けられた前記局のエネルギー消費は、前記特定の通信パスの特定のリレーノードまでの前記局の送信電力と、前記特定のリレーノードまでの送信データレートの逆数との積として推定される、上記Ｃ７に記載の方法。
［Ｃ９］
前記選択された通信パスは、見込み通信パスのセットから選択され、前記１つまたは複数のリレーノードのそれぞれのリレーノードは、見込み通信パスの前記セットのうちの１つの見込み通信パスに対応し、前記選択された通信パスは、見込み通信パスの前記セットのうちの他の通信パスよりも少ない、前記局と前記アクセスポイントとの間の送信時間を利用する、上記Ｃ４に記載の方法。
［Ｃ１０］
前記通信パスを選択することは、
前記局と前記アクセスポイントとの間の見込み通信パスのセットにおけるそれぞれの見込み通信パスについてのデータレートの逆数の総計を計算することを含み、ここにおいて、間接的な見込み通信パスについてのデータレートの逆数の前記総計は、前記間接的な見込み通信パスのそれぞれのホップについてのデータレートの逆数の合計に等しく、
前記選択された通信パスは、見込み通信パスの前記セットのうちの、データの逆数の最も低いものを有する特定の見込み通信パスである、
上記Ｃ４に記載の方法。
［Ｃ１１］
前記通信パスを選択することは、
前記局から、前記局と前記アクセスポイントとの間の見込み通信パスのセットにおけるそれぞれの見込み通信パスの各リレーノードまでのホップについてのデータレートを計算することを含み、
ここにおいて、前記選択された通信パスは、見込み通信パスの前記セットのうちの、計算された最も高いデータレートを有する特定の見込み通信パスである、
上記Ｃ４に記載の方法。
［Ｃ１２］
前記１つまたは複数のデータレートは、前記１つまたは複数の要求メッセージのペイロードデータレートに対応する、上記Ｃ４に記載の方法。
［Ｃ１３］
前記１つまたは複数のデータレートは、前記１つまたは複数の要求メッセージの媒体アクセス制御（ＭＡＣ）レイヤのスループットに対応する、上記Ｃ４に記載の方法。
［Ｃ１４］
前記１つまたは複数のデータレートは、前記１つまたは複数の要求メッセージの信号特性に基づいて決定され、前記信号特性は、信号対雑音比（ＳＮＲ）、信号対干渉・雑音比（ＳＩＮＲ）、受信信号強度インジケーション（ＲＳＳＩ）、変調およびコーディング方式（ＭＣＳ）、またはこれらの任意の組み合わせを含む、上記Ｃ４に記載の方法。
［Ｃ１５］
前記局からマルチキャスト要求メッセージを受信することをさらに備え、ここにおいて、前記マルチキャスト要求メッセージは、前記１つまたは複数のリレーノードおよび前記アクセスポイントに関連付けられたマルチキャストアドレスにアドレッシングされ、前記選択された通信パスは、前記マルチキャスト要求メッセージに少なくとも部分的に基づいて選択される、上記Ｃ１に記載の方法。
［Ｃ１６］
前記１つまたは複数の要求メッセージは、前記１つまたは複数のリレーノードが、前記１つまたは複数のリレーノードおよび前記アクセスポイントに関連付けられたマルチキャストアドレスにおいて前記局からマルチキャスト要求メッセージを受信するのに応答して、前記１つまたは複数のリレーノードから前記アクセスポイントにユニキャストを介して送信される、上記Ｃ１に記載の方法。
［Ｃ１７］
前記選択された通信パスは、電気電子技術者協会（ＩＥＥＥ）８０２．１１ａｈプロトコルに基づき、前記局はＩＥＥＥ ８０２．１１ａｈ準拠のデバイスである、上記Ｃ１に記載の方法。
［Ｃ１８］
前記応答メッセージは、データを送信するときに前記局によって使用されるべき最初の変調およびコーディング方式（ＭＣＳ）をさらに示す、上記Ｃ１に記載の方法。
［Ｃ１９］
前記１つまたは複数の要求メッセージは、前記局がスリープモードから起動したことに応答して、または前記局が電源投入（powering up）されたことに応答して送られる、上記Ｃ１に記載の方法。
［Ｃ２０］
前記局から要求メッセージを直接受信することをさらに備え、ここにおいて、前記局から直接受信された前記要求メッセージは前記局のリレー機能情報を含み、前記選択された通信パスは、前記要求メッセージにさらに基づいて選択される、上記Ｃ１に記載の方法。
［Ｃ２１］
前記１つまたは複数の要求メッセージのうちの特定の要求メッセージは、特定のリレーノードから受信され、前記特定の要求メッセージは、前記特定のリレーノードと前記局との間の通信に関係するチャネル品質の推定を含み、前記選択された通信パスは前記チャネル品質の推定に少なくとも部分的に基づいて選択される、上記Ｃ１に記載の方法。
［Ｃ２２］
プロセッサと、
アクセスポイントにおいて１つまたは複数のリレーノードからの１つまたは複数の要求メッセージの受信を検出することと、ここにおいて、前記１つまたは複数の要求メッセージのそれぞれは、局に関係するプローブ要求メッセージまたはアソシエーション要求メッセージであり、
前記１つまたは複数の要求メッセージに基づいて、前記アクセスポイントと前記局との間の通信パスを選択することと、
前記選択された通信パスを示す応答メッセージの送信を開始することと
を行うように、前記プロセッサによって実行可能な命令を記憶したメモリと
を備える、装置。
［Ｃ２３］
前記選択された通信パスは、前記１つまたは複数の要求メッセージに対応する１つまたは複数のデータレートに基づいて選択される、上記Ｃ２２に記載の装置。
［Ｃ２４］
前記１つまたは複数のデータレートは、前記１つまたは複数の要求メッセージのそれぞれに対応するペイロードデータレートに基づいて決定される、上記Ｃ２３に記載の装置。
［Ｃ２５］
前記１つまたは複数のデータレートは、前記１つまたは複数の要求メッセージのそれぞれに対応する媒体アクセス制御（ＭＡＣ）レイヤのスループットレートに基づいて決定される、上記Ｃ２３に記載の装置。
［Ｃ２６］
前記アクセスポイントは、電気電子技術者協会（ＩＥＥＥ）８０２．１１ａｈプロトコルに基づいて通信し、前記局はＩＥＥＥ ８０２．１１ａｈ準拠のデバイスである、上記Ｃ２２に記載の装置。
［Ｃ２７］
前記応答メッセージは、通信のために前記局によって使用されるべき最初の変調およびコーディング方式（ＭＣＳ）をさらに示す、上記Ｃ２２に記載の装置。
［Ｃ２８］
前記命令は、前記局から直接受信された要求メッセージの受信を検出するように前記プロセッサによってさらに実行可能であり、前記局から直接受信された前記要求メッセージは、前記局のリレー機能情報を含む、上記Ｃ２２に記載の装置。
［Ｃ２９］
前記局から直接受信された前記要求メッセージは、前記アクセスポイントに関連付けられ、および前記１つまたは複数のリレーノードに関連付けられた、マルチキャストアドレスを介して受信され、前記応答メッセージは、前記１つまたは複数のリレーノードのうちの特定のリレーノードに関連付けられた、または前記局に関連付けられた、ユニキャストアドレスに送信される、上記Ｃ２８に記載の装置。
［Ｃ３０］
前記プロセッサは、モバイルデバイス、カメラ、マルチメディアプレーヤ、エンターテイメントユニット、ナビゲーションデバイス、携帯情報端末（ＰＤＡ）、ポータブルコンピュータ、またはこれらの任意の組み合わせに組み込まれる、上記Ｃ２２に記載の装置。
［Ｃ３１］
前記１つまたは複数の要求メッセージのうちの特定の要求メッセージは、特定のリレーノードから受信され、前記特定の要求メッセージは、前記特定のリレーノードと前記局との間の通信に関係するチャネル品質の推定を含む、上記Ｃ２２に記載の装置。
［Ｃ３２］
アクセスポイントにおいて、１つまたは複数のリレーノードから１つまたは複数の要求メッセージを受信するための手段と、ここにおいて、前記１つまたは複数の要求メッセージのそれぞれは、局に関係するプローブ要求メッセージまたはアソシエーション要求メッセージであり、
前記１つまたは複数の要求メッセージに基づいて、前記アクセスポイントと前記局との間の通信パスを選択するための手段と、
前記選択された通信パスを示す応答メッセージを送信するための手段と
を備える、装置。
［Ｃ３３］
前記通信パスは、前記１つまたは複数の要求メッセージに対応する１つまたは複数のデータレートに基づいて選択される、上記Ｃ３２に記載の装置。
［Ｃ３４］
前記１つまたは複数のデータレートは、前記１つまたは複数の要求メッセージのそれぞれに対応するペイロードデータレートに基づいて、もしくは前記１つまたは複数の要求メッセージのそれぞれに対応する媒体アクセス制御（ＭＡＣ）レイヤのスループットレートに基づいて、またはこれらの組み合わせに基づいて決定される、上記Ｃ３３に記載の装置。
［Ｃ３５］
前記応答メッセージは、通信のために前記局によって使用されるべき最初の変調およびコーディング方式（ＭＣＳ）をさらに示す、上記Ｃ３２に記載の装置。
［Ｃ３６］
前記１つまたは複数の要求メッセージのうちの特定の要求メッセージは、特定のリレーノードから受信され、前記特定の要求メッセージは、前記特定のリレーノードと前記局との間の通信に関係するチャネル品質の推定を含み、通信パスを選択するための前記手段は、前記チャネル品質の推定に少なくとも部分的に基づいて、前記選択された通信パスを選択する、上記Ｃ３２に記載の装置。
［Ｃ３７］
命令を備えたコンピュータ読取可能ストレージデバイスであって、前記命令は、プロセッサによって実行されたときに、
アクセスポイントにおいて１つまたは複数のリレーノードからの１つまたは複数の要求メッセージの受信を検出することと、ここにおいて、前記１つまたは複数の要求メッセージのそれぞれは、局に関係するプローブ要求メッセージまたはアソシエーション要求メッセージであり、
前記１つまたは複数の要求メッセージに基づいて前記アクセスポイントと前記局との間の通信パスを選択することと、
前記選択された通信パスを示す応答メッセージの送信を開始することと
を含む動作を前記プロセッサに行わせる、コンピュータ読取可能ストレージデバイス。
［Ｃ３８］
前記選択された通信パスは、前記１つまたは複数の要求メッセージに対応する１つまたは複数のデータレートに基づいて選択される、上記Ｃ３７に記載のコンピュータ読取可能ストレージデバイス。
［Ｃ３９］
前記応答メッセージは、データを送信するときに前記局によって使用されるべき最初の変調およびコーディング方式（ＭＣＳ）をさらに示す、上記Ｃ３７に記載のコンピュータ読取可能ストレージデバイス。
［Ｃ４０］
前記１つまたは複数の要求メッセージのうちの特定の要求メッセージは、特定のリレーノードから受信され、前記特定の要求メッセージは、前記特定のリレーノードと前記局との間の通信に関係するチャネル品質の推定を含み、前記選択された通信パスは前記チャネル品質の推定に少なくとも部分的に基づいて選択される、上記Ｃ３７に記載のコンピュータ読取可能ストレージデバイス。